(57)【要約】【課題】規格長さを有する建材等の被測定物に対して、コンベックス（巻尺）を使用することなく、簡単に必要な長さを側長することができる定規を提供する。【解決手段】定規１を被測定物Ｓの測定面に置いたときに測定面と接する縁を有する長手方向に延びる第１面４ａと第２面４ｂを有し、第１面４ａに、ゼロを開始目盛とする昇順の第１目盛５を設け、第２面４ｂに、ゼロの目盛に対応する位置から規格長さの数値を開始目盛とする逆順の第２目盛６を設ける。第１目盛５の最大目盛は、規格長さの数値より小さく、かつ、規格長さの数値の１/２より大きくし、第２目盛６の最小目盛は、規格長さの数値の１/２より小さくする。定規１の端部に、被測定物Ｓの縁に係止するフック３を設け、フック３を被測定物Ｓの縁に係止したときに、第１目盛５の開始目盛と第２目盛６の開始目盛とが被測定物Ｓの縁と一致するようにした。【選択図】図４
2017129548.tif 000002
【特許請求の範囲】
【請求項１】
規格長さを有する被測定物を測定する真直な定規であって、
前記定規を前記被測定物の測定面に置いたときに前記測定面と接する縁を有する長手方向に延びる第１面と第２面を有し、  
前記第１面に、ゼロを開始目盛とする昇順の第１目盛を設け、
前記第２面に、前記ゼロの目盛に対応する位置から前記規格長さの数値を開始目盛とする逆順の第２目盛を設け、
前記第１目盛の最大目盛は、前記規格長さの数値より小さく、かつ、前記規格長さの数値の１/２より大きくし、
前記第２目盛の最小目盛は、前記規格長さの数値の１/２より小さくし、
前記定規の端部に、前記被測定物の縁に係止するフックを設け、前記フックを前記被測定物の縁に係止したときに、前記第１目盛の開始目盛と前記第２目盛の開始目盛とが前記被測定物の縁と一致することを特徴とする定規。
【請求項２】
前記第１面と前記第２面の開始目盛と反対側に、前記規格長さを示す表示部を設けたことを特徴とする請求項１に記載の定規。
【請求項３】
前記フックは円柱形状を有することを特徴とする請求項１又は２に記載の定規。
【請求項４】
前記定規の長手方向に直角な方向の断面が矩形であり、  
前記第１面と前記第２面に直角な長手方向に延びる第３面と第４面を有し、
前記第１面の前記第１目盛の最大目盛側に、前記第３面または前記第４面に着脱可能で、前記第１面又は第２面と直交し、前記被測定物の縁に当接するガイド面を有する直角ガイドを設けたことを特徴とする請求項１から３のいずれかに記載の定規。
【請求項５】
前記直角ガイドを装着した前記第３面または前記第４面と対向する前記第４面又は前記第３面に、前記直角ガイドの前記ガイド面と対応する位置からゼロを開始目盛とする昇順の第３目盛を設けたことを特徴とする請求項４に記載の定規。
【請求項６】
第１規格長さと第２規格長さを有する第１被測定物と第２被測定物を測定する真直な定規であって、
前記定規を被測定物の測定面に置いたときに前記測定面と接する縁を有する長手方向に延びる第１面と第２面を有し、  
前記第１面に、ゼロを開始目盛とする昇順の第１被測定物用第１目盛と、前記第２被測定物の規格長さの数値を開始目盛とする逆順の第２被測定物用第２目盛を設け、
前記第２面に、前記ゼロの目盛に対応する位置から前記第１被測定物の規格長さの数値を開始目盛とする逆順の第１被測定物用第２目盛と、ゼロを開始目盛とする昇順の第２測定物用第１目盛とを設け、
前記第１被測定物用第１目盛と前記第２被測定物用第１目盛の最大目盛は、前記規格長さの数値より小さく、かつ、前記規格長さの数値の１/２より大きくし、
前記第１被測定物用第２目盛と前記第２測定物用第２目盛の最小目盛は、前記規格長さの数値の１/２より小さくし、
前記定規の端部に、前記被測定物の縁に係止するフックを設け、前記フックを前記被測定物の縁に係止したときに、前記第１測定物用第１目盛と前記第１測定物用第２目盛と前記第２測定物用第１目盛と前記第２測定物用第２目盛の各開始目盛が前記被測定物の縁と一致することを特徴とする定規。
【発明の詳細な説明】
【技術分野】
【０００１】
本発明は、石膏ボード、ベニヤ板、サイディングボード等の規格長さを有する建材を必要な長さに切断するときに使用する定規に関する。
【背景技術】
【０００２】
石膏ボード等の建材は、１８００ｍｍ、１８２０ｍｍのように規格長さを有するが、施工する家屋の壁の場所によっては規定長さの建材を使用できないため、施工場所に合わせて必要な長さに切断する必要がある。従来、図１６に示すように、建材１００を切断する場合、建材１００の長さ方向の一端にコンベックス（巻尺）１０１の先端のツメ１０２を係止して必要な長さＬの位置にカッター等で印をつけ、該印の位置に曲尺等を使用して墨線を入れた後、電動丸のこぎりで隅線に沿って切断する。
【０００３】
また、３０３０ｍｍのように長い建材で、例えば２８８０ｍｍを切断する場合、一端から２９８０ｍｍを測長するよりも、他端から短い寸法を測長したほうが容易であるため、３０３０ｍｍから必要な寸法の２８８０ｍｍを減算して５０ｍｍを算出し、この５０ｍｍを建材の一端から測長することも行われている。
【０００４】
しかし、コンベックスによる測長作業と、曲尺による隅付け作業と、電動丸のこぎりによる切断作業と、場合によっては計算が必要であり、煩雑で、時間がかかる。特に、コンベックスによる測長作業で、測長する寸法が長い場合、例えば１８００ｍｍの石膏ボードで１６１５ｍｍを測長する場合、先端のツメを石膏ボードの一端に係止してコンベックスを長く引き出しながら移動するときやカッター等で印付けするときに、ツメが外れることがあるため、コンベックスのツメを押さえてもらう必要があることから、１人で作業するには困難である。また、コンベックスのツメを係止した端面に対して直角に引き出すことも困難である。
【０００５】
特許文献１には、長尺測長体を幅広にすることで、係止部が被側長部材の一辺に係止した状態で、長尺板状体が被測長体の一辺と直交する方向に方向付けされるようにした建築用側長器が提案されている。この測長器では、長尺の一辺に沿って係止部を起点とする直読用目盛（０から２００）と、他辺に沿って係止部と反対側の他端部を起点とする直読用目盛（０から２００）とが付され、測長方向が逆でも所要寸法の割り出しが可能となされているが、０から２００までの同じ目盛が逆に付されているだけで、係止部に近い側が２００となっている目盛をどのように利用するのか明らかでない。
【先行技術文献】
【特許文献】
【０００６】
【特許文献１】実開平５−６６５０１号公報
【発明の概要】
【発明が解決しようとする課題】
【０００７】
本発明は、以上のような従来の問題点に鑑みてなされたもので、規格長さを有する建材等の被測定物に対して、コンベックス（巻尺）を使用することなく、簡単に必要な長さを側長することができる定規を提供することを課題とする。
【課題を解決するための手段】
【０００８】
本発明は、前記課題を解決するための手段として、
（１）規格長さを有する被測定物を測定する真直な定規であって、
前記定規を前記被測定物の測定面に置いたときに前記測定面と接する縁を有する長手方向に延びる第１面と第２面を有し、  
前記第１面に、ゼロを開始目盛とする昇順の第１目盛を設け、
前記第２面に、前記ゼロの目盛に対応する位置から前記規格長さの数値を開始目盛とする逆順の第２目盛を設け、
前記第１目盛の最大目盛は、前記規格長さの数値より小さく、かつ、前記規格長さの数値の１/２より大きくし、
前記第２目盛の最小目盛は、前記規格長さの数値の１/２より小さくし、
前記定規の端部に、前記被測定物の縁に係止するフックを設け、前記フックを前記被測定物の縁に係止したときに、前記第１目盛の開始目盛と前記第２目盛の開始目盛とが前記被測定物の縁と一致するようにしたものである。
【０００９】
本発明では、規格長さを有する被測定物を必要な長さの位置で切断するとき、必要な長さが規格長さの１/２以下の場合、フックを被測定物の一端に係止することにより第１目盛のゼロを被測定物の一端に合わせて、当該第１目盛から必要な長さを読み取ることができる。また、必要な長さが規格長さの１/２以上の場合、フックを被測定物の他端に係止することにより第２目盛の開始目盛である最大目盛を被測定物の他端に合わせて、当該第２目盛から必要な長さを読み取ることができる。
【００１０】
（２）前記第１面と前記第２面の開始目盛と反対側に、前記規格長さを示す表示部を設けることが好ましい。この表示部により、本定規がどの規格長さの被測定物用であるのかを判断することができる。
【００１１】
（３）前記フックは円柱形状を有することが好ましい。これによれば、定規が被測定物の縁に対して直角な方向から多少傾いても、第１目盛と第２目盛の各開始目盛が被測定物の縁からずれることはなく、正確な測長を行うことができる。
【００１２】
（４）前記定規の長手方向に直角な方向の断面が矩形であり、
前記第１面と前記第２面に直角な長手方向に延びる第３面と第４面を有し、
前記第１面の前記第１目盛の最大目盛側に、前記第３面または前記第４面に着脱可能で、前記第１面又は第２面と直交し、前記被測定物の縁に当接するガイド面を有する直角ガイドを設けることが好ましい。
本定規を使用して被測長部材に必要な長さの位置に印付けした後、直角ガイドのガイド面を被測定物の縁に当接し、第３面又は第４面の縁を印に一致させることで、印に沿って切断線を罫書くことができる。また、切断線に沿って電動丸のこぎりで切断するときに、本定規をガイド定規として使用することもできる。  
【００１３】
（５）前記直角ガイドを装着した前記第３面または前記第４面と対向する前記第４面又は前記第３面に、前記直角ガイドの前記ガイド面と対応する位置からゼロを開始目盛とする昇順の第３目盛を設けることが好ましい。第３目盛により、被測定物の側縁から必要な長さの位置に印をつけることができる。
【００１４】
（６）第１規格長さと第２規格長さを有する第１被測定物と第２被測定物を測定する真直な定規であって、
前記定規を被測定物の測定面に置いたときに前記測定面と接する縁を有する長手方向に延びる第１面と第２面を有し、  
前記第１面に、ゼロを開始目盛とする昇順の第１被測定物用第１目盛と、前記第２被測定物の規格長さの数値を開始目盛とする逆順の第２被測定物用第２目盛を設け、
前記第２面に、前記ゼロの目盛に対応する位置から前記第１被測定物の規格長さの数値を開始目盛とする逆順の第１被測定物用第２目盛と、ゼロを開始目盛とする昇順の第２測定物用第１目盛とを設け、
前記第１被測定物用第１目盛と前記第２被測定物用第１目盛の最大目盛は、前記規格長さの数値より小さく、かつ、前記規格長さの数値の１/２より大きくし、
前記第１被測定物用第２目盛と前記第２測定物用第２目盛の最小目盛は、前記規格長さの数値の１/２より小さくし、
前記定規の端部に、前記被測定物の縁に係止するフックを設け、前記フックを前記被測定物の縁に係止したときに、前記第１測定物用第１目盛と前記第１測定物用第２目盛と前記第２測定物用第１目盛と前記第２測定物用第２目盛の各開始目盛が前記被測定物の縁と一致するようにすることもできる。
この定規では、１つの定規で規格長さの異なる第１被測定物と第２被測定物の２つの被測定物を測長することができる。
【発明の効果】
【００１５】
本発明によれば、規格長さを有する建材等の被測定物に対して、必要な長さが規格長さの１/２以下の場合、第１目盛のゼロを被測定物の一端に合わせて、当該第１目盛から必要な長さを読み取り、必要な長さが規格長さの１/２以上の場合、第２目盛の最大目盛を被測定物の他端に合わせて、当該第２目盛から必要な長さを読み取ることができるので、コンベックス（巻尺）を使用することなく、簡単に必要な長さを側長することができる。
【図面の簡単な説明】
【００１６】
【図１】本発明の第１実施形態に係る定規のフック側から見た全体斜視図（ａ）、及びフックと反対側から見た全体斜視図。
【図２】図１の定規のフック側から見た拡大端面図（ａ）、フックを上方から見た図（ｂ）、フックをねじで取り付けた変形例を示すフック側から見た拡大斜視図（ｃ）。
【図３Ａ】図１の定規の各面の目盛の配置図。
【図３Ｂ】図１の定規の各面の目盛の配置図。
【図３Ｃ】図１の定規の各面の目盛の配置図。
【図４】図１の定規を１８００用に使用する場合の第１面側及び第２面側から見た斜視図（ａ）、１８２０用に使用する場合の第１面側及び第２面側から見た斜視図（ｂ）。
【図５】直角ガイドを取り付けた本発明の第２実施形態に係る定規の全体斜視図。
【図６】直角ガイドの正面図（ａ）、底面図（ｂ）及び背面図（ｃ）。
【図７】図５の定規の底面側から見た斜視図。
【図８】１８００用に使用する場合の定規に直角ガイドを取り付けた状態を示す第１面側の正面図（ａ）、第２面側の背面図（ｂ）。
【図９】１８２０用に使用する場合の定規に直角ガイドを取り付けた状態を示す第１面側の正面図（ａ）、第２面側の背面図（ｂ）。
【図１０】図１の第１実施形態の定規を１８００ｍｍの被測定物から短い寸法を測定する状態を示す斜視図（ａ）、１８００ｍｍの被測定物から長い寸法を測定する状態を示す斜視図（ｂ）。
【図１１】図１の第１実施形態の定規を１８２０ｍｍの被測定物から短い寸法を測定する状態を示す斜視図（ａ）、１８２０ｍｍの被測定物から長い寸法を測定する状態を示す斜視図（ｂ）。
【図１２】図５の第２実施形態の定規を１８００ｍｍの被測定物から短い寸法を測定する状態を示す斜視図（ａ）、１８００ｍｍの被測定物から長い寸法を測定する状態を示す斜視図（ｂ）。
【図１３】図５の第２実施形態の定規を用いて被測定物に必要な長さの位置に印をつける状況（ａ）、切断線を罫書く状況（ｂ）を示す平面図。
【図１４】被測定物を切断線に沿って切断する状況を示す平面図。
【図１５】本発明に係る定規の変形例１（ａ）、変形例２（ｂ）、変形例３（ｃ）を示すフック側から見た拡大端面図。
【図１６】従来のコンベックスを用いて建材を測長する状況を示す平面図。
【発明を実施するための形態】
【００１７】
以下、本発明の実施形態を添付図面に従って説明する。
【００１８】
図１は、本発明の第１実施形態に係る定規１を示す。この定規１は、２種類の被測定物、例えば、規格長さが１８００ｍｍと１８２０ｍｍの２つの石膏ボード（以下、「被測長物」という）を測長できるもので、定規本体２と、フック３とからなっている。以下、１８００ｍｍの石膏ボードを測長する場合は「１８００用」、１８２０ｍｍの石膏ボードを測長する場合は「１８２０用」という。
【００１９】
定規本体２は、ステンレス鋼等の金属製で、中空の矩形（長方形）の断面を有する真直な棒状に形成されている。定規本体２の全長は、被測定物の規格長さの１/２程度でよく、例えば１８００ｍｍと１８２０ｍｍの２つの被測長物の測定用としては、全長約１１００ｍｍである。定規本体２の縦（高さ）３８ｍｍ、横（幅）１３ｍｍであるが、これに限るものではない。
【００２０】
フック３は、ステンレス鋼等の金属製で、実施例では径６ｍｍ、長さ５０ｍｍの丸鋼である。フック３は、図２（ａ）に示すように、定規本体２の先端面に、上下に突出するように、溶接等で固着されている。上下に突出した部分は、図２（ｂ）に示すように、被測定物Ｓの端面に確実に係止できる長さを有し、実施例ではその突出長さは６ｍｍであるが、これに限るものではない。フック３が円柱であることにより、図２（ｂ）中２点鎖線で示すように、定規本体２が被測定物Ｓの端縁に対して直角な方向から多少傾いても、定規本体２の開始目盛が被測定物の端縁から大きくずれることはなく、正確な測長を行うことができる。
【００２１】
被測定物Ｓの厚さが例えば２．５ｍｍのように薄い場合、フック３の突出長さを被測定物Ｓの厚さより小さい例えば２ｍｍとすることにより、複数の被測定物Ｓが積み重ねられていて一番上のものから測長するときにフック３が２番目の被測長物Ｓに引っ掛からないようにすることができる。また、フック３は、図２（ｃ）に示すように、断面がＤ型になるように外面を面取し、定規本体２の先端にねじ３ａで固定することで、突出長さが異なるフック３と取り換え可能にしてもよい。この場合、ねじ３ａは定規本体２の先端にねじ込むよりも、定規本体２の先端内面に設けた裏当て３ｂにねじ３ａをねじ込むことが好ましい。
【００２２】
定規本体２は、６つの面を有するが、仮に１８００用として使用する場合を基準に各面を規定する。図１に示すように、定規本体の幅が１３ｍｍの面を被測定物Ｓの測定面に置いたとき、フック３側からみて左側面をＡ面４ａ、右側面をＢ面４ｂ、天面をＣ面４ｃ、底面をＤ面４ｄとする。フック３側の先端面をＥ面４ｅ、フック３と反対側の後端面をＦ面４ｆという。１８００用として使用する場合、本発明にいう第１面はＡ面４ａ、第２面はＢ面４ｂであり、１８２０用として使用する場合、本発明にいう第１面はＢ面４ｂ、第２面はＡ面４ａとなる。
【００２３】
図３Ａ、図３Ｂ、図３Ｃは、定規本体２の各面に付された目盛を示す。図３Ａ（ａ）、図３Ａ（ｂ）は、１８００用として使用する場合のＡ面４ａとＢ面４ｂの目盛の配置、図３Ｂ（ｃ）、図３Ｂ（ｄ）は、１８２０用として使用する場合のＢ面４ｂとＡ面４ａの目盛の配置、図３Ｃ（ｅ）、図３Ｃ（ｆ）は、Ｃ面４ｃとＤ面４ｄの目盛の配置を示す。
【００２４】
図３Ａ（ａ）において、Ａ面４ａのＤ面４ｄ側の縁には、フック３側の先端面のＥ面４ｅからゼロを開始目盛とし、１０２０を最大目盛とする昇順の１８００用第１目盛５が設けられている。また、Ａ面４ａのＣ面４ｃ側の縁には、Ａ面４ａのゼロの目盛に対応する位置から１８２０ｍｍの被測定物Ｓの規格長さの数値１８２０を開始目盛とし、８００を最少目盛とする逆順の１８２０用第２目盛８が設けられている。
【００２５】
図３Ａ（ｂ）は、図３Ａ（ａ）の定規を、Ｄ面４ｄを底面にしたまま１８０度左右反転したものである。図３Ａ（ｂ）において、Ｂ面４ｂのＤ面４ｄ側の下縁には、フック３側の先端面のＥ面４ｅから、裏のＡ面４ａのゼロの目盛に対応する位置から１８００ｍｍの被測定物Ｓの規格長さの数値１８００を開始目盛とし、７８０を最少目盛とする逆順の１８００用第２目盛６が設けられている。また、Ｂ面４ｂのＣ４ｃ面側の縁には、フック３側の先端面のＥ面４ｅからゼロを開始目盛とし、１０２０を最大目盛とする昇順の１８２０用第１目盛７が設けられている。
【００２６】
図３Ｂ（ｃ）は、図３Ａ（ａ）の定規を、Ｃ面４ｃが底面になるように１８０度上下反転したものである。図３Ｂ（ｃ）において、Ｂ面４ｂのＣ面４ｃ側の縁には、フック３側の先端面のＥ面４ｅからゼロを開始目盛とし、１０２０を最大目盛とする昇順の１８２０用第１目盛７が設けられている。また、Ｂ面４ｂのＤ面４ｄ側の縁には、裏のＢ面４ｂのゼロの目盛に対応する位置から１８００ｍｍの被測定物の規格長さの数値１８００を開始目盛とし、７８０を最少目盛とする逆順の１８００用第２目盛６が設けられている。
【００２７】
図３Ｂ（ｄ）は、図３Ａ（ａ）の定規を、Ｃ面４ｃを底面にしたまま１８０度左右反転したものである。図３Ｂ（ｄ）において、Ａ面４ａのＣ面４ｃ側の下縁には、フック３側の先端面のＥ面４ｅから、Ａ面４ａのゼロの目盛に対応する位置から１８２０ｍｍの被測定物の規格長さの数値１８２０を開始目盛とし、８００を最少目盛とする逆順の１８２０用第２目盛８が設けられている。また、Ａ面４ａのＤ面４ｄ側の縁には、フック３側の先端面のＥ面４ｅからゼロを開始目盛とし、１０２０を最大目盛とする昇順の１８００用第１目盛５が設けられている。
【００２８】
図３Ｃ（ｅ）は、図３Ａ（ａ）の定規のＣ面４ｃである。図３Ｃ（ｅ）において、フック３と反対側の後端面であるＦ面から所定距離にある基準位置９からゼロを開始目盛とし、１０００を最大目盛とする昇順の１８２０用第３目盛１１が設けられている。基準位置９は、後述する直角ガイド１５のガイド面２２の位置に対応している。また、Ｃ面４ｃには、直角ガイド１５を取り付けるねじ穴１２が３箇所に形成されている。
【００２９】
図３Ｃ（ｆ）は、図３Ａ（ａ）の定規のＤ面４ｄである。Ｄ面４ｄには、図３Ｃ（ｅ）のＣ面４ｃと同様に、基準位置９からゼロを開始目盛とし、１０００を最大目盛とする昇順の１８００用第３目盛１０が設けられ、直角ガイド１５を取り付けるねじ穴１２が３箇所に形成されている。
【００３０】
１８００用第１目盛５、１８２０用第１目盛７の最大目盛は、１０２０ｍｍｍであるが、これに限るものではなく、それぞれの規格長さの数値より小さく、かつ、規格長さの数値の１/２より大きければよい。規格長さの数値の１/２より小さいと（例えば８５０ｍｍ）、必要長さが９００ｍｍのときに測長ができないからである。また、１８００用第２目盛６、１８２０用第２目盛８の最小目盛は、それぞれ、７８０ｍｍ、８００ｍｍであるが、これに限るものではなく、規格長さの数値の１/２より小さければよい。規格長さの数値の１/２より大きいと（例えば９２０ｍｍ）、必要長さが９００ｍｍのときに測長ができないからである。
【００３１】
１８００用第１目盛５と１８００用第２目盛６の開始目盛、及び１８２０用第１目盛７と１８２０用第２目盛８の開始目盛は、フック３を被測定物Ｓの縁に係止したときに、被測定物Ｓの縁と一致するように設けられている。
【００３２】
図３Ａ（ａ）のＡ面４ａの１８００用第１目盛５の開始目盛と反対側、及び、図３Ａ（ｂ）のＢ面４ｂの１８００用第２目盛６の開始目盛と反対側には、目盛と同じ向きに、１８００ｍｍ用目盛であることを示す「１８００」と、読むべき目盛の方向を指す「↓」とからなる１８００用表示部１３が設けられている。同様に、図３Ｂ（ｃ）のＢ面４ｂの１８２０用第１目盛７の開始目盛と反対側、及び、図３Ｂ（ｄ）のＡ面４ａの１８２０用第２目盛８の開始目盛と反対側には、目盛と同じ向きに、１８２０ｍｍ用目盛であることを示す「１８２０」と読むべき目盛の方向を指す「↓」とからなる１８２０用表示部１４が設けられている。
【００３３】
図４は、図１の定規１を１８００用に使用する場合と、１８２０用に使用する場合の置き方を示す。１８００用に使用する場合は、図４（ａ）に示すように、「１８００」の表示部１３が正しく見える向きに、すなわちＤ面４ｄを下にする。これにより、フック３側から定規本体２を見たときに、Ａ面４ａ（本発明でいう第１面）に１８００用第１目盛５、Ｂ面４ｂ（本発明でいう第２面）に１８００用第２目盛６が見られる。１８２０用に使用する場合は、図４（ｂ）に示すように、「１８２０」の表示が正しく見える向きに、すなわちＣ面４ｃを下にする。これにより、フック３側から定規本体２を見たときに、Ｂ面４ｂ（本発明でいう第１面）に１８２０用第１目盛７、Ｃ面４ｃ（本発明でいう第２面）に１８２０用第２目盛８が見られる。
【００３４】
図５は、本発明の第２実施形態に係る定規１ａを示す。この定規１ａは、第１実施形態の定規本体２に直角ガイド１５を取り付けたものであり、定規本体２及びフック３の構成は第１実施形態と同様であり、説明を省略する。
【００３５】
直角ガイド１５は、図６に示すように、定規本体２のＣ面４ｃ又はＤ面４ｄの幅と同じ寸法の厚さを有する直角三角形の形状を有する。直角ガイド１５は、内側が繰り抜かれて、底辺部１６と、垂直部１７と、斜辺部１８とからなっている。底辺部１６の両端は、垂直部１７と斜辺部１８から外方に突出している。底辺部１６の両端部と中央部にはねじ１９が挿通されるねじ孔２０が形成されている。３つのねじ孔２０は、定規本体２のねじ穴１２と対応している。垂直部１７の外側端面は底辺部１６の底面に直角になっている。垂直部１７の片方の面には、底辺部１６の底面に対して垂直方向に延びる突条部２１が形成されている。突状部２１の上端は垂直部１７の上端まで延び、突条部２１の下端は底辺部１６の底面から、定規本体２のＡ面４ａ又はＢ面４ｂの幅の１/２程度の寸法だけ突出している。
【００３６】
直角ガイド１５は、図７に示すように、斜辺部１８が定規本体２のフック３側を向くように、定規本体２のＣ面４ｃ又はＤ面４ｄにねじ１９で取り付ける。定規本体２のフック３側に面する突条部２１の側面であるガイド面２２は、定規本体２のＣ面４ｃ又はＤ面４ｄと直角であり、その延長線上に１８００用第３目盛１０又は１８２０用第３目盛１１のゼロが位置する。１８００用として使用する場合は、図８に示すように、直角ガイド１５を定規本体２のＣ面４ｃに取り付ける。１８２０用として使用する場合は、図９に示すように、直角ガイド１５を定規本体２のＤ面４ｄに取り付ける。
【００３７】
次に、直角ガイドを取り付けない第１実施形態の定規１を使用する方法について説明する。図１０は、定規１を規格長さが１８００ｍｍの被測定物Ｓに対して使用する場合を示す。被測定物Ｓから切断する必要長さＬ１が１８００ｍｍの１/２以下である場合、図１０（ａ）に示すように、定規本体２の「１８００」の表示部１３が正しく見える方向に定規１を被測定物Ｓの測定面に置き、フック３を被測定物Ｓの一端に係止し、ゼロを開始目盛とする昇順の１８００用第１目盛５により、必要長さＬ１を測長することができる。また、被測定物Ｓから切断する必要長さＬ２が１８００ｍｍの１/２以上である場合、図１０（ｂ）に示すように、定規本体２を１８０度左右反転し、定規本体２の「１８００」の表示部１３が正しく見えることを確認して定規１を被測定物Ｓの測定面に置き、フック３を被測定物Ｓの他端に係止し、１８００を開始目盛とする逆順の１８００用第２目盛６により、必要長さＬ２を測長することができる。
【００３８】
図１１は、定規１を規格長さが１８２０ｍｍの被測定物Ｓに対して使用する場合を示す。被測定物Ｓから切断する必要長さＬ１が１８２０ｍｍの１/２以下である場合、図１１（ａ）に示すように、定規本体２の「１８２０」の表示部１４が正しく見える方向に定規１を被測定物Ｓの測定面に置き、フック３を被測定物Ｓの一端に係止し、ゼロを開始目盛とする昇順の１８２０用第１目盛７により、必要長さＬ１を測長することができる。また、被測定物Ｓから切断する必要長さＬ２が１８２０ｍｍの１/２以上である場合、図１１（ｂ）に示すように、定規本体２を１８０度左右反転し、定規本体２の「１８２０」の表示部１４が正しく見えることを確認して定規１を被測定物Ｓの測定面に置き、フック３を被測定物Ｓの他端に係止し、１８２０を開始目盛とする逆順の１８２０用第２目盛８により、必要長さＬ２を測長することができる。
【００３９】
図１２は、直角ガイド１５を取り付けた第２実施形態の定規１ａで必要長さを測長する場合を示すが、直角ガイドが無い第１実施形態の定規１と同様であるので、詳しい説明は省略する。この場合、直角ガイド１５は上方にあるので、読み取りの邪魔にならない。
【００４０】
図１３は、第２実施形態の定規１ａを用いて規格長さが例えば１８００ｍｍの被測定物Ｓを測長してから切断するまでの作業を示す。図１３（ａ）に示すように、１８００ｍｍの被測定物Ｓから例えば１５５０の必要長さを１８００用第２目盛６で測長し、当該位置にカッター等で印をつける。次に、図１３（ｂ）に示すように、定規１ａを寝かして、直角ガイド１５の突条部２１のガイド面２２が被測定物Ｓの側縁に当接するようにし、直角ガイド１５を取り付けたＣ面４ｃと反対側のＤ面４ｄが印と一致するようにスライドさせる。この状態で、直角ガイド１５を取り付けたＣ面４ｃと反対側のＤ面４ｄに沿って切断線を罫書く。そして、図１４に示すように、定規１ａを切断線の横にずらし、定規１ａをガイドとして使用し、電動丸のこぎり２３で罫書き線に沿って切断する。定規１ａの先端のフック３は、電動丸のこぎり２３のガイド板と干渉しない長さになっているので、被測定物Ｓを必要な長さに切り落とすことができる。なお、ベニヤ板のように被測定物が薄い場合は、切断線を罫書くことなく、定規１ａのＤ面４ｄを印に合わせてそのままＤ面４ｄに沿って直接カッターで切断してもよい。
【００４１】
本発明は、以上に実施形態に限定されるものではなく、特許請求の範囲に記載した発明の技術思想に属する範囲内で種々変更することができる。例えば、前記実施形態では、定規本体２は矩形（長方形）の断面としたが、台形（図１５（ａ））、三角形（図１５（ｂ））、正方形（図１５（ｃ））の断面とすることもできる。台形の場合、１種類の規格長さの被測定物用、例えば、１８００専用又は１８２０専用とすることができる。また、三角形や正方形の場合、１８００用、１８２０用の２種類だけなく、３種類、４種類の規格長さの被測定物を測長することができる。三角形や正方形の場合は、フック３が各面から突出するようにし、どの面を被測定物の測定面に置いても、被測定物の端縁に係止できるようにすることが好ましい。
【符号の説明】
【００４２】
Ｓ  被測定物
１  定規
１ａ  定規
２  定規本体
３  フック
４ａ  Ａ面（第１面）
４ｂ  Ｂ面（第２面）
４ｃ  Ｃ面
４ｄ  Ｄ面
５  １８００用第１目盛
６  １８００用第２目盛
７  １８２０用第１目盛
８  １８２０用第２目盛
１０  １８００用第３目盛
１１  １８２０用第３目盛
１３  １８００用表示部
１４  １８２０用表示部
１５  直角ガイド
２１  突条部
２２  ガイド面
【図１】
2017129548.tif 000003
【図２】
2017129548.tif 000004
【図３Ａ】
2017129548.tif 000005
【図３Ｂ】
2017129548.tif 000006
【図３Ｃ】
2017129548.tif 000007
【図４】
2017129548.tif 000008
【図５】
2017129548.tif 000009
【図６】
2017129548.tif 000010
【図７】
2017129548.tif 000011
【図８】
2017129548.tif 000012
【図９】
2017129548.tif 000013
【図１０】
2017129548.tif 000014
【図１１】
2017129548.tif 000015
【図１２】
2017129548.tif 000016
【図１３】
2017129548.tif 000017
【図１４】
2017129548.tif 000018
【図１５】
2017129548.tif 000019
【図１６】
2017129548.tif 000020